(57)【要約】【課題】  機器本体のコストアップを抑え、かつハードディスク装置を機器本体にオプションとして追加可能な情報処理装置およびハードディスク装置を提供する。【解決手段】  ハードディスク装置１０３側に、ＰＣＩ−ＩＤＥ変換回路１２１、ＩＯポート１２２、タイマ回路１２３、ＯＲ回路１２５を含む電源制御保護回路を設け、電源スイッチ１２６がオフにされた場合、ハードディスク装置１０３のデータ処理が終了した後若しくはタイマ回路１２３が所定の時間を計数した後にＯＲ回路１２５、信号ライン１４２を介して電源装置１０１の電源を保持しているリレー回路１１２を制御してメインコントローラ１０２およびハードディスク装置への電源の供給を停止するようにしてハードディスク装置１０３において処理中であるデータを保護する。【選択図】  図１
2005267370.tif 000002
【特許請求の範囲】
【請求項１】
電源スイッチを有する電源装置と、該電源装置からの給電を受けて動作する制御装置とを有し、前記制御装置にオプションとしてハードディスク装置を追加可能な情報処理装置において、
前記ハードディスク装置は、
前記電源スイッチがオフにされた場合、該ハードディスク装置のデータ処理が終了するまで前記電源装置からの給電を保持して該ハードディスク装置で処理中のデータの保護を行う電源制御保護回路
を具備することを特徴とする情報処理装置。
【請求項２】
前記電源装置は、
前記電源スイッチがオフにされた後、リレー制御信号が入力されるまで電源の給電を保持するリレー回路
を具備し、
前記電源制御保護回路は、
前記制御装置と前記ハードディスク装置との間の信号変換を行う信号変換手段と、
前記制御装置との間のインタフェースを司るインタフェース回路と、
前記電源スイッチのオフにより動作を開始し、所定の時間を計数するタイマ回路と、
前記信号変換手段の出力に基づきハードディスク装置のデータ処理が終了したと検出された場合若しくは前記タイマ回路が所定の時間の計数を終了した場合に前記電源装置のリレー回路に前記リレー制御信号を出力するリレー制御信号出力手段と
を具備する
ことを特徴とする請求項１記載の情報処理装置。
【請求項３】
前記制御装置は、
印刷装置若しくは印刷、複写、ファクシミリ等の複数の機能を制御する複合機を制御するものであり、
前記電源制御保護回路は、
前記ハードディスク装置を前記制御装置に追加接続するハードディスクオプション基板上に設けられる
ことを特徴とする請求項１又は２記載の情報処理装置。
【請求項４】
電源スイッチを有する電源装置からの給電を受けて動作する情報処理装置の制御装置にオプションとして追加可能なハードディスク装置において、
前記電源スイッチがオフにされた場合、データ処理が終了するまで前記電源装置からの給電を保持して処理中のデータの保護を行う電源制御保護回路
を具備することを特徴とするハードディスク装置。
【請求項５】
前記電源装置は、
前記電源スイッチがオフにされた後、リレー制御信号が入力されるまで電源の給電を保持するリレー回路
を具備し、
前記電源制御保護回路は、
前記制御装置と前記ハードディスク装置との間の信号変換を行う信号変換手段と、
前記制御装置との間のインタフェースを司るインタフェース回路と、
前記電源スイッチのオフにより動作を開始し、所定の時間を計数するタイマ回路と、
前記信号変換手段の出力に基づきハードディスク装置のデータ処理が終了したと検出された場合若しくは前記タイマ回路が所定の時間の計数を終了した場合に前記電源装置のリレー回路に前記リレー制御信号を出力するリレー制御信号出力手段と
を具備する
ことを特徴とする請求項４記載のハードディスク装置。
【請求項６】
前記制御装置は、
印刷装置若しくは印刷、複写、ファクシミリ等の複数の機能を制御する複合機を制御するものであり、
前記電源制御保護回路は、
前記ハードディスク装置を前記制御装置に追加接続するハードディスクオプション基板上に設けられる
ことを特徴とする請求項４又は５記載のハードディスク装置。
【発明の詳細な説明】
【技術分野】
【０００１】
本発明は、電源スイッチを有する電源装置と、該電源装置からの給電を受けて動作する制御装置とを有し、制御装置にオプションとしてハードディスク装置を追加可能な情報処理装置およびハードディスク装置に関し、特に、電源装置の電源スイッチがオン状態からオフ状態に切り換えられた場合に、ハードディスクに処理中のデータが壊れることのないように電源装置を制御する電源制御保護回路をハードディスク装置側に設けることにより制御装置の簡略化および低コスト化を図った情報処理装置およびハードディスク装置に関する。
【背景技術】
【０００２】
従来、ハードディスクを装着したプリンタ単体、もしくはコピー、ファックス、プリンタといった複数の機能を備える複合機では、ハードディスクへのデータ処理中に機器の電源がユーザにより切られてしまうとハードディスクに処理中のデータが壊れてしまうので、これを保護するためにハードディスクの処理が終わるまで電源が切れないように制御する電源制御保護回路が設けられている。
【０００３】
特許文献１には、信号スイッチ内蔵の電源スイッチを使用することなく、電源スイッチがオフされた場合のデータの破壊が防止できる電子機器のデータ破壊防止装置が提案されており、特許文献２には、電源スイッチがオフされた時に、複数のスイッチング電源回路の出力を所定シーケンスで停止し、ハードディスク等の装備機器の電源遮断による誤動作、故障を防止する電源装置及び画像形成装置が提案されている。
【０００４】
ところで、この種の電源制御保護回路は、ハードディスク装置を接続するプリンタ単体若しくは複合機の機器本体側に設けられている。
【０００５】
図３は、従来のハードディスク装置を追加接続可能な複合機の全体構成を示すブロック図である。
【０００６】
図３のおいて、この複合機は、電源装置３０１、メインコントローラ３０２を有し、メインコントローラ３０２にハードディスク装置３０３をオプションとして追加接続可能に構成されている。
【０００７】
電源装置３０１は、電源スイッチ３１３のオンに連動して動作開始する直流電源３１１、電源スイッチ３１３がオフされたときでも直流電源からの電源供給を行う状態を保持するリレー回路３１２を備える。
【０００８】
また、メインコントローラ３０２は、各種処理を行う中央演算装置（ＣＰＵ）３１４、オプションとして後付けするハードディスクとデータのやり取りの仲介をするＩＤＥ（Integrated Drive Electronics）インターフェース３２２、画像入力部３３１および画像出力部３３２が接続され、所定の画像処理を行うビデオ回路３１８、ＲＯＭ（Read Only Memory）３１５、ＲＡＭ（Random Access Memory）３１６、バス３２３、ＰＣＩ（Peripheral Component Interconnect）−ＩＤＥ（Integrated Drive Electronics）変換回路３１７、ＩＯポート３２１、タイマ回路３１９、ＯＲ回路３２０を備えている。
【０００９】
この複合機における電源は、電源装置３０１内の直流電源３１１からリレー回路３１２を通して複合機のメインコントローラ３０２に供給され、また、メインコントローラ３０２から電源ライン３５３を通してオプションとして後付けされるハードディスク装置３０３に供給される。
【００１０】
電源スイッチ３１３の出力は、信号ライン３６２によりメインコントローラ３０２内のタイマ回路３１９とＩＯポート３２１とに接続されており、電源スイッチ３１３がオフされた信号が信号ライン３６２を通して伝達される。
【００１１】
また、電源スイッチ３１３は、また、信号ライン３６１で電源装置３０１と接続されている。
【００１２】
メインコントローラ３０２内のＯＲ回路３２０の出力は、信号ライン３６５により電源装置３０１に接続されており、この信号ライン３６５によりリレー回路３１２を開放するリレー制御信号が伝達される。
【００１３】
さて、上記複合機において、ユーザがこの複合機を使用する場合、まず、複合機の外部にある電源スイッチ３１３をオンする。
【００１４】
電源スイッチ３１３がオンされると、信号ライン３６１を通して電源装置３０１に電源スイッチ３１３がオンされたことが伝わり、電源装置３０１はリレー回路３１２をオンに制御してメインコントローラ３０２に対する電源の供給を開始する。
【００１５】
また、メインコントローラ３０２経由で、電源ライン３５３を通じて後付けされたハードディスク装置３０３へ電源が供給される。
【００１６】
次に、ユーザが何らかの理由により、電源スイッチ３１３をオフすると、信号ライン３６１を通じて電源装置３０１に電源スイッチ３１３がオフされたことが伝わるが、リレー回路３１２は電源を複合機のメインコントローラ３０２に供給する状態を保持し続ける。
【００１７】
また、電源スイッチ３１３がオフされたことは、信号ライン３６２を通じてメインコントローラ３０２にも伝わり、メインコントローラ３０２内のタイマ回路３１９とＩＯポート３２１に伝達される。
【００１８】
また、タイマ回路３１９に電源スイッチ３１３がオフされたことが伝達されると、直ちにタイマ回路が作動する。
【００１９】
ＩＯポート３２１に電源スイッチ３１３がオフされたことが伝達されると、メインコントローラ３０２内の中央演算装置３１４がそれを検知して、後付けしたハードディスク装置３０３内のハードディスク３４１の処理が直ちに終了するように制御される。
【００２０】
ハードディスク３４１の処理が終了すると、これをメインコントローラ３０２内の中央演算装置３１４が検知して、ＩＯポート３２１より、信号ライン３６４、ＯＲ回路３２０、信号ライン３６５を通じて、電源装置３０１のリレー回路３１２へリレー制御信号を送る。
【００２１】
電源装置３０１は、信号ライン３６５からのリレー制御信号によりリレー回路３１２を制御してメインコントローラ３０２への電源の供給を停止する。
【００２２】
また、タイマ回路３１９は、一定時間後に、リレー制御信号を信号ライン３６３、ＯＲ回路３２０、信号ライン３６５を通して電源装置３０１に送る。
【００２３】
これにより、メインコントローラ３０２の中央演算装置３１４がハングアップする等の何らかの理由により、ＩＯポート３２１の制御ができなくなった場合には、タイマ回路３１９の出力によりリレー回路３１２が制御され、電源装置３０１は電源ライン３５２を通じた複合機のメインコントローラ３０２への電源の供給が停止される。
【００２４】
なお、上記ＰＣＩ−ＩＤＥ変換回路３１７、ＩＯポート３２１、タイマ回路３１９、ＯＲ回路３２０を含む電源制御保護回路は、ハードディスクをオプションとして追加しない場合は動作しない。
【００２５】
このように、上述した従来例の複合機では、ハードディスクをオプションとして追加しない場合があるにもかかわらず、メインコントローラ３０２内に電源制御保護回路を設けていた。
【特許文献１】特開平７−００６１０１号公報
【特許文献２】特開２００２−３５４７９３号公報
【発明の開示】
【発明が解決しようとする課題】
【００２６】
しかしながら、従来の構成によると、データの破壊を防止する電源制御保護回路は機器本体側に設けられるので、ハードディスクを後付けのオプションとして構成した場合、ユーザがハードディスクを後付けしない場合があるにもかかわらず、機器本体側には上記電源制御保護回路を組み込む必要が生じ、このため機器本体のコストが高くなるという問題があった。
【００２７】
そこで、本発明は、機器本体のコストアップを抑え、かつハードディスク装置を機器本体にオプションとして追加可能な情報処理装置およびハードディスク装置を提供することを目的とする。
【課題を解決するための手段】
【００２８】
上記目的を達成するため、請求項１の発明は、電源スイッチを有する電源装置と、該電源装置からの給電を受けて動作する制御装置とを有し、前記制御装置にオプションとしてハードディスク装置を追加可能な情報処理装置において、前記ハードディスク装置は、前記電源スイッチがオフにされた場合、該ハードディスク装置のデータ処理が終了するまで前記電源装置からの給電を保持して該ハードディスク装置で処理中のデータの保護を行う電源制御保護回路を具備することを特徴とする。
【００２９】
また、請求項２の発明は、請求項１の発明において、前記電源装置は、前記電源スイッチがオフにされた後、リレー制御信号が入力されるまで電源の給電を保持するリレー回路を具備し、前記電源制御保護回路は、前記制御装置と前記ハードディスク装置との間の信号変換を行う信号変換手段と、前記制御装置との間のインタフェースを司るインタフェース回路と、前記電源スイッチのオフにより動作を開始し、所定の時間を計数するタイマ回路と、前記信号変換手段の出力に基づきハードディスク装置のデータ処理が終了したと検出された場合若しくは前記タイマ回路が所定の時間の計数を終了した場合に前記電源装置のリレー回路に前記リレー制御信号を出力するリレー制御信号出力手段とを具備することを特徴とする。
【００３０】
また、請求項３の発明は、請求項１又は２の発明において、前記制御装置は、印刷装置若しくは印刷、複写、ファクシミリ等の複数の機能を制御する複合機を制御するものであり、前記電源制御保護回路は、前記ハードディスク装置を前記制御装置に追加接続するハードディスクオプション基板上に設けられることを特徴とする。
【００３１】
また、請求項４の発明は、電源スイッチを有する電源装置からの給電を受けて動作する情報処理装置の制御装置にオプションとして追加可能なハードディスク装置において、前記電源スイッチがオフにされた場合、データ処理が終了するまで前記電源装置からの給電を保持して処理中のデータの保護を行う電源制御保護回路を具備することを特徴とする。
【００３２】
また、請求項５の発明は、請求項４の発明において、前記電源装置は、前記電源スイッチがオフにされた後、リレー制御信号が入力されるまで電源の給電を保持するリレー回路を具備し、前記電源制御保護回路は、前記制御装置と前記ハードディスク装置との間の信号変換を行う信号変換手段と、前記制御装置との間のインタフェースを司るインタフェース回路と、前記電源スイッチのオフにより動作を開始し、所定の時間を計数するタイマ回路と、前記信号変換手段の出力に基づきハードディスク装置のデータ処理が終了したと検出された場合若しくは前記タイマ回路が所定の時間の計数を終了した場合に前記電源装置のリレー回路に前記リレー制御信号を出力するリレー制御信号出力手段とを具備することを特徴とする。
【００３３】
また、請求項６の発明は、請求項４又は５の発明において、前記制御装置は、印刷装置若しくは印刷、複写、ファクシミリ等の複数の機能を制御する複合機を制御するものであり、前記電源制御保護回路は、前記ハードディスク装置を前記制御装置に追加接続するハードディスクオプション基板上に設けられることを特徴とする。
【発明の効果】
【００３４】
本発明は、電源スイッチがオフにされた場合に、ハードディスク装置のデータ処理が終了するまで電源装置からの給電を保持して該ハードディスク装置で処理中のデータの保護を行う電源制御保護回路をハードディスク装置側に設けて構成したので、ハードディスク装置が接続される制御装置の構成を簡略化することができ、かつ制御装置のコストアップを抑えることができるという効果を奏する。
【発明を実施するための最良の形態】
【００３５】
以下、本発明に係わるハードディスク装置を追加接続可能な複合機の全体構成を示すブロック図である。
【００３６】
図１において、この複合機は、電源装置１０１、メインコントローラ１０２を有し、メインコントローラ１０２にハードディスク装置１０３をオプションとして追加接続可能に構成されている。
【００３７】
電源装置１０１は、電源スイッチ１２６のオンに連動して動作開始する直流電流１１１、電源スイッチ１２６がオフされたときでも直流電流からの電源供給を行う状態を保持するリレー回路１１２を備える。
【００３８】
メインコントローラ１０２は、各種処理を行う中央演算装置（ＣＰＵ）１１３、ＲＯＭ（Read Only Memory）１１４、ＲＡＭ（Random Access Memory）１１５、ＰＣＩ（Peripheral Component Interconnect）インターフェース１１６、画像入力部１１８および画像出力部１１９が接続され、所定の画像処理を行うビデオ回路１１７、バス１２７を備える。
【００３９】
また、ハードディスク装置１０３は、メインコントローラ１０２とのデータのやり取りの仲介を行うＰＣＩ（Peripheral Component Interconnect）インターフェース１２０と、ＰＣＩ（Peripheral Component Interconnect）−ＩＤＥ（Integrated Drive Electronics）変換回路１２１と、ＩＯポート１２２と、タイマ回路１２３と、ハードディスク（ＨＤＤ）１２４と、ＯＲ回路１２５を備えている。
【００４０】
この複合機における電源は、電源装置１０１内の直流電源１１１からリレー回路１１２を通して複合機のメインコントローラ１０２に供給され、また、メインコントローラ１０２から電源ライン１３３を通してオプションとして後付けされるハードディスク装置１０３に供給される。
【００４１】
電源スイッチ１２６の出力は、信号ラインに１４１よりハードディスク装置１０３内のタイマ回路１２３とＩＯポート１２２とに接続されており、電源スイッチ１２６がオフされた信号が信号ライン１４１を通して伝達される。
【００４２】
また、電源スイッチ１２６は、また、信号ライン１４３で電源装置１０１と接続されている。
【００４３】
ハードディスク装置１０３内のＯＲ回路１２５の出力は、信号ライン１４２により電源装置１０１に接続されており、この信号ライン１４２によりリレー回路１１２を開放するリレー制御信号が伝達される。
【００４４】
さて上記複合機において、ユーザがこの複合機を使用する場合、まず、複合機の外部にある電源スイッチ１２６をオンする。
【００４５】
電源スイッチ１２６がオンされると、信号ライン１４３を通して電源装置１０１に電源スイッチ１２６がオンされたことが伝わり、電源装置１０１はリレー回路１１２を制御してメインコントローラ１０２に対する電源の供給を開始する。
【００４６】
また、メインコントローラ１０２経由で、電源ライン１３３を通じて後付けされたハードディスク装置１０３へ電源が供給される。
【００４７】
次に、ユーザが何らかの理由により、電源スイッチ１２６をオフすると、信号ライン１４３を通じて電源装置１０１に電源スイッチ１２６がオフされたことが伝わるが、リレー回路１１２は電源を複合機のメインコントローラ１０２に供給する状態を保持し続ける。
【００４８】
また、電源スイッチ１２６がオフされたことは、信号ライン１４１を通じてハードディスク装置１０３にも伝わり、ハードディスク装置内のタイマ回路１２３とＩＯポート１２２に伝達される。
【００４９】
タイマ回路１２３に電源スイッチ１２６がオフされたことが伝達されると、直ちにタイマ回路１２３が作動する。
【００５０】
また、ＩＯポート１２２に電源スイッチ１２６がオフされたことが伝達されると、メインコントローラ１０２内の中央演算装置１１３がそれを検知して、ハードディスク装置１０３内のハードディスク１２４の処理が直ちに終了するように制御される。
【００５１】
ハードディスク１２４の処理が終了すると、これをメインコントローラ１０２内の中央演算装置１１３が検知して、ＩＯポート１２２より、信号ライン１４４、ＯＲ回路１２５、信号ライン１４２を通じて、電源装置１０１のリレー回路１１２へリレー制御信号を送る。
【００５２】
電源装置１０１は、信号ライン１４２からのリレー制御信号によりリレー回路１１２を制御して、メインコントローラ１０２への電源の供給を停止する。
【００５３】
また、タイマ回路１２３は、一定時間後に、リレー制御信号を信号ライン１４５、ＯＲ回路１２５、信号ライン１４２を通して電源装置１０１に送る。
【００５４】
これにより、メインコントローラ１０２の中央演算装置１１３がハングアップする等の何らかの理由により、ＩＯポート１２２の制御ができなくなった場合には、タイマ回路１２３の出力によりリレー回路１１２が制御され、電源装置１０１は電源ライン１３２を通じた複合機のメインコントローラ１０２への電源の供給が停止される。
【００５５】
このように、上述した本発明の複合機では、上記ＰＣＩ−ＩＤＥ変換回路１２１、ＩＯポート１２２、タイマ回路１２３、ＯＲ回路１２５を含む電源制御保護回路をハードディスク装置１０３側に設けているので、メインコントローラ１０２の簡略化および低コスト化を実現できる。
【００５６】
次に、図２に本発明に係わるハードディスク装置を追加接続可能な複合機の接続構成の一例を示す図である。
【００５７】
図２においては、図１で示した電源装置１０１とメインコントローラ１０２とハードディスク装置１０３との接続構成が示されている。
【００５８】
図２において、メインコントローラ１０２は、電源装置１０１と電源ライン１３２を介して接続されており、また、この電源装置１０１は、信号ライン１４３を介して電源スイッチ１２６に接続されている。
【００５９】
メインコントローラ１０２とハードディスク装置１０３との間は、拡張スロットであるライザーカード２０３により接続される。
【００６０】
また、図２において、点線で囲まれたハードディスクオプション基板２０４とハードディスク１２４を含む部分が図１に示したハードディスク装置１０３に対応しており、ハードディスクオプション基板２０４は、信号ライン１４１を介して電源スイッチ１２６に接続され、また、ハードディスクオプション基板２０４は、信号ライン１４２を介して電源装置１０１に接続されている。
【００６１】
なお、ハードディスクオプション基板２０４と電源スイッチおよび電源装置とを接続する信号ライン１４１および１４２は、ライザーカード２０３の接続ピンに空きがあれば、この空きのピンを用いて接続するように構成してもよい。
【００６２】
なお、上記実施例では、ハードディスク装置をオプションとして追加する複合機について説明したが、複合機に限らず、ハードディスク装置をオプションとして追加できる機器ならばいずれの機器でもよい。
【産業上の利用可能性】
【００６３】
本発明は、電源装置からの給電を受けて動作する制御装置にオプションとしてハードディスク装置を追加可能な情報処理装置において利用可能である。
【００６４】
本発明によれば、電源スイッチをオン状態からオフ状態に切り換えられた場合にハードディスクに処理中のデータが壊れることのないように電源装置を制御する電源制御保護回路を、ハードディスク装置側に設けることにより、制御装置を簡略化することができ制御装置のコストアップを抑えることができる。
【図面の簡単な説明】
【００６５】
【図１】ハードディスク装置を追加接続可能な本発明に係わる複合機の全体構成を示すブロック図。
【図２】本発明に係わるハードディスク装置を追加接続可能な複合機の接続構成図。
【図３】ハードディスク装置を追加接続可能な従来の複合機の全体構成を示すブロック図。
【符号の説明】
【００６６】
１０１    電源装置
１０２    メインコントローラ
１０３    ハードディスク装置
１１１    直流電源
１１２    リレー回路
１１３    中央演算装置（ＣＰＵ）
１１４    ＲＯＭ
１１５    ＲＡＭ
１１６    ＰＣＩインターフェース
１１７    ビデオ回路
１１８    画像入力部
１１９    画像出力部
１２０    ＰＣＩインターフェース
１２１    ＰＣＩ−ＩＤＥ変換回路
１２２    ＩＯポート
１２３    タイマ回路
１２４    ハードディスク（ＨＤＤ）
１２５    ＯＲ回路
１２６    電源スイッチ
１２７    バス
２０３    ライザーカード
２０４    ハードディスクオプション基板
２０５    ＩＤＥケーブル
３０１    電源装置
３０２    メインコントローラ
３０３    ハードディスク装置
３１１    直流電源
３１２    リレー回路
３１４    中央演算装置（ＣＰＵ）
３１５    ＲＯＭ
３１６    ＲＡＭ
３１７    ＰＣＩ−ＩＤＥ変換回路
３１８    ビデオ回路
３１９    タイマ回路
３２０    ＯＲ回路
３２１    ＩＯポート
３２２    ＩＤＥインターフェース
３２３    バス
３３１    画像入力部
３３２    画像出力部
３４１    ハードディスク（ＨＨＤ）
【図１】
2005267370.tif 000003
【図２】
2005267370.tif 000004
【図３】
2005267370.tif 000005